(57)【要約】【課題】複数の収納物を容易に収納でき、かつ組み立てが容易な多段箱を提供する。【解決手段】多段箱１００は、１枚の紙製シートにより構成させたものであり、上箱１０と、下箱２０と、蓋部３０とを備える。上箱１０は底面が開放された直方体状に製箱された箱であり、下箱２０は上面が開放された直方体状に製箱された箱である。蓋部３０は下箱２０の上面の蓋及び上箱２０の底面として機能するものである。蓋部３０は、上箱１０と下箱２０との間に配置され、蓋部３０の短形板長手辺３１ａは上箱１０の後面下部辺１１と連結（連結部分４２）し、蓋部３０の短形板長手辺３１ｂは下箱２０の前面上部辺２１と連結（連結部分４１）する。蓋部３０は、連結部分４１を軸に回動可能で、下箱２０の開放された上面の開閉を行える。上箱１０は、連結部分４２を軸に回動可能で、回動して蓋部３０の上から覆い被さる。【選択図】      図１
0003196868.tif 000002
【実用新案登録請求の範囲】
【請求項１】
順に積み重ねられた複数の箱と、
隣り合う上下の箱の間で、前記上下の箱それぞれと連結し、下側の箱との連結部分を軸に回動可能であり、その回動動作により前記下側の箱上面の蓋として開閉を行う蓋部とを備え、
上側の箱は、前記上側の箱と前記蓋部との連結部分を軸として回動可能であり、前記上側の箱を回動させると、前記上側の箱を前記第下側の箱の上に積み重ねられることを特徴とする多段箱。
【請求項２】
前記複数の箱は、
第一の箱と、
前記第一の箱の下側に配置された第二の箱と
により構成され、
前記第一の箱、及び前記第二の箱との間で、前記第一の箱下部と前記第二の箱上部とを連結し、前記第二の箱との連結部分を軸として回動可能であり、その回動動作により前記第二の箱上面の蓋として開閉を行う第一の蓋部とを備え、
前記第一の箱は、前記第一の箱と前記第一の蓋部との連結部分を軸として回動可能であり、前記第一の箱を回動させると、前記第一の箱を前記第二の箱の上に積み重ねられることを特徴とする請求項１に記載の多段箱。
【請求項３】
前記第一の箱は、第一の前面板部と、第一の左右の側面板部と、第一の後面板部と、上面板部とを、それぞれ折り目線を介して連設して、底面が開放された直方体状に製箱した第一の紙箱本体により構成され、
第二の箱は、第二の前面板部と、第二の左右の側面板部と、第二の後面板部と、底面板部を、それぞれ折り目線を介して連設して、上面が開放された直方体状に製箱した第二の紙箱本体により構成され、
前記蓋部は、前記第二の箱の上面を閉じる形状の短形板により構成され、前記短形板の一辺が前記第一の紙箱本体における第一の前面板部の下辺、又は第一の後面板部の下辺のいずれか一方と折り目線を介して連設され、前記短形板の一辺に対向する他の一辺が、前記第二の紙箱本体における第二の前面板部の上辺、又は第二の後面板部の上辺のいずれか一方と折り目線を介して連設され、
前記第一の箱、及び前記第二の箱、並びに前記蓋部は、１枚の紙製シートにより構成されたことを特徴とする請求項２に記載の多段箱。
【請求項４】
前記第二の箱の下側に配置され、上面が開放された第三の箱と、
前記第二の箱、及び前記第三の箱との間で、前記第二の箱下部と前記第三の箱上部とを連結し、前記第三の箱との連結部分を軸として回動可能であり、その回動動作により前記第三の箱上面の蓋として開閉を行う第二の蓋部とさらに備え、
前記第二の箱は、前記第二の箱と前記第二の蓋部との連結部分を軸として回動可能であり、前記第二の箱を回動させると、前記第二の箱を前記第三の箱の上に積み重ねられることを特徴とする請求項２に記載の多段箱。
【請求項５】
第三の箱と、
前記第三の箱上部と連結され、前記第三の箱との連結部分を軸として回動可能であり、その回動動作により前記第三の箱上面の蓋として開閉を行う第二の蓋部と
から成る箱ユニットをさらに備え、
前記箱ユニットの前記第二の蓋部の端部と前記第二の箱下部とを、連結手段により連結させ、
前記第二の箱は、前記第二の箱と前記第二の蓋部との連結部分を軸として回動可能であり、前記第二の箱を回動させると、前記第二の箱を前記第三の箱の上に積み重ねられることを特徴とする請求項２に記載の多段箱。
【考案の詳細な説明】
【技術分野】
【０００１】
本考案は、箱を多段に積み重ねた態様の多段箱に関する。
【背景技術】
【０００２】
従来、ケーキなどの食品を収納する２段型収納箱として、以下のような菓子用箱が提案されていた（例えば、特許文献１参照。）。その菓子用箱は、背面片、上面片、底面片および左右片の５片によって箱本体を構成し、この箱本体内部に横仕切り板を左右片と背面片とで糊付けして固定し、また、この横仕切り板に縦仕切り板を糊付けして固定するとともに、縦仕切り板の他端を上面片あるいは底面片に対して着脱自在に取り付け、さらに、その上面片と左右片とに折り畳み用の折線を形成したものである。そして、底面片と連設された蓋片は箱本体の前面を開閉可能な態様になっている。
【先行技術文献】
【特許文献】
【０００３】
【特許文献１】実開平０４−３９２２
【考案の概要】
【考案が解決しようとする課題】
【０００４】
しかしながら、上記菓子用箱は、箱本体が前面を除く５面を構成し、蓋片が箱本体の前面を開閉可能な態様であるため、前面側の側方からしか収納物を入れることができない。また、上記菓子用箱は、箱内に仕切り板を設けて複数の収納物を収納する態様であるため、仕切り板の組み立てに手間がかかり、組み立てコストを含む製造コストの増大という問題点があった。また、上記菓子用箱は、後から箱の内容や大きさを拡張することができない。
【０００５】
そこで、本考案は、複数の収納物を容易に収納できる多段箱を提供することを目的とする。
【課題を解決するための手段】
【０００６】
上記課題を解決するため、本考案の多段箱は、順に積み重ねられた複数の箱と、隣り合う上下の箱の間で、上記上下の箱それぞれと連結し、下側の箱との連結部分を軸に回動可能であり、その回動動作により上記下側の箱上面の蓋として開閉を行う蓋部とを備え、上側の箱は、上記上側の箱と上記蓋部との連結部分を軸として回動可能であり、上記上側の箱を回動させると、上記上側の箱を上記第下側の箱の上に積み重ねられることを特徴とするものである。これにより、複数の収納物を容易に収納させるという作用をもたらす。
【０００７】
また、本考案の多段箱において、上記複数の箱は、第一の箱と、上記第一の箱の下側に配置された第二の箱とにより構成され、上記第一の箱、及び上記第二の箱との間で、上記第一の箱下部と上記第二の箱上部とを連結し、上記第二の箱との連結部分を軸として回動可能であり、その回動動作により上記第二の箱上面の蓋として開閉を行う第一の蓋部とを備え、上記第一の箱は、上記第一の箱と上記第一の蓋部との連結部分を軸として回動可能であり、上記第一の箱を回動させると、上記第一の箱を上記第二の箱の上に積み重ねられることを特徴とする。これにより、２段の多段箱に複数の収納物を容易に収納させるという作用をもたらす。
【０００８】
また、本考案の多段箱において、上記第一の箱は、第一の前面板部と、第一の左右の側面板部と、第一の後面板部と、上面板部とを、それぞれ折り目線を介して連設して、底面が開放された直方体状に製箱した第一の紙箱本体により構成され、第二の箱は、第二の前面板部と、第二の左右の側面板部と、第二の後面板部と、底面板部を、それぞれ折り目線を介して連設して、上面が開放された直方体状に製箱した第二の紙箱本体により構成され、上記蓋部は、上記第二の箱の上面を閉じる形状の短形板により構成され、上記短形板の一辺が上記第一の紙箱本体における第一の前面板部の下辺、又は第一の後面板部の下辺のいずれか一方と折り目線を介して連設され、上記短形板の一辺に対向する他の一辺が、上記第二の紙箱本体における第二の前面板部の上辺、又は第二の後面板部の上辺のいずれか一方と折り目線を介して連設され、上記第一の箱、及び上記第二の箱、並びに上記蓋部は、１枚の紙製シートにより構成されたことを特徴とする。これにより、複数の収納物を容易に収納できる２段の多段箱の組み立てを容易にさせるという作用をもたらす。
【０００９】
また、本考案の多段箱において、上記第二の箱の下側に配置され、上面が開放された第三の箱と、上記第二の箱、及び上記第三の箱との間で、上記第二の箱下部と上記第三の箱上部とを連結し、上記第三の箱との連結部分を軸として回動可能であり、その回動動作により上記第三の箱上面の蓋として開閉を行う第二の蓋部とさらに備え、上記第二の箱は、上記第二の箱と上記第二の蓋部との連結部分を軸として回動可能であり、上記第二の箱を回動させると、上記第二の箱を上記第三の箱の上に積み重ねられることを特徴とする。これにより、３段の多段箱に複数の収納物を容易に収納させるという作用をもたらす。
【００１０】
また、本考案の多段箱において、第三の箱と、上記第三の箱上部と連結され、上記第三の箱との連結部分を軸として回動可能であり、その回動動作により上記第三の箱上面の蓋として開閉を行う第二の蓋部とから成る箱ユニットをさらに備え、上記箱ユニットの上記第二の蓋部の端部と上記第二の箱下部とを、連結手段により連結させ、上記第二の箱は、上記第二の箱と上記第二の蓋部との連結部分を軸として回動可能であり、上記第二の箱を回動させると、上記第二の箱を上記第三の箱の上に積み重ねられることを特徴とする。これにより、後から箱の段数を容易に拡張させるという作用をもたらす。
【考案の効果】
【００１１】
本考案によれば、複数の収納物を容易に収納できるという優れた効果を奏し得る。
【図面の簡単な説明】
【００１２】
【図１】本考案の実施の形態における多段箱１００を示す図である。
【図２】本考案の実施の形態における多段箱１００の展開図を示す図である。
【図３】本考案の実施の形態における多段箱３００の示す図である。
【考案を実施するための形態】
【００１３】
次に、本考案の実施の形態について図面を参照して詳細に説明する。なお、本考案における多段箱は、１枚の紙製シートにより構成させることが想定され、それを前提として以下説明するが、これに限るものではない。すなわち、本考案の多段箱は、複数枚の紙製シートや、樹脂等その他の材質の材料、様々な材料の組み合わせで形成させたものであってもよい。また、本考案において紙製シートは、紙製のブランク等を含むあらゆる紙製のシートを包含するものである。
【００１４】
図１は、本考案の実施の形態における多段箱１００を示す図である。図１（ａ）は、多段箱１００の斜視図である。図１（ｂ）は、多段箱１００を開いた図である。多段箱１００は、上箱１０と、下箱２０と、蓋部３０とを備える。
【００１５】
上箱１０は、例えば、直方体状に製箱された箱が想定されるが、これに限るものではなく、その他の形状の箱であってもよい。そして、上箱１０は、底面が開放された態様が想定されるが、これに限るものではなく、底面を設けて底面を閉じた態様であってもよい。また、上箱１０の上面には、取手付き出し入れ口部１６が設けられている。取手付き出し入れ口部１６は、開閉可能な構造になっている。なお、上箱１０の上面の構造は、上記の構造に限るものではなく、例えば、他の開閉可能な構造であってもよいし、出し入れ口が上部にない構造であってもよい。
【００１６】
下箱２０は、例えば、直方体状に製箱された箱が想定されるが、これに限るものではなく、その他の形状の箱であってもよい。そして、下箱２０は、その上面２６が開放された態様が想定される。また、下箱２０は、上下方向において上箱１０と隣り合っており、上箱１０の下側に配置される。
【００１７】
蓋部３０は、下箱２０の上面２６の蓋として機能するものである。蓋部３０は、例えば、短形板３１と、折り返し片３２とにより構成させることが一例として想定されるが、これに限るものではない。すなわち、本考案において短形板３１は、下箱２０の上面２６を閉じることが可能な形状の部材であればその他の形状の部材であってもよい。また、折り返し片３２がない態様であってもよい。そして、蓋部３０は、下箱２０の上部との連結部分４１を軸に回動可能で、下箱２０の開放された上面の開閉を行える構造になっている。
【００１８】
具体的に蓋部３０は、次のような態様になっている。蓋部３０は、上箱１０と下箱２０との間に配置され、蓋部３０の一端（例えば、短形板長手辺３１ａ）は上箱１０の下部と連結（連結部分４２）し、蓋部３０の他端（例えば、短形板長手辺３１ｂ）は下箱２０の上部と連結（連結部分４１）している。上箱１０の下部として、図１に示すように、例えば、上箱１０の後面下部辺１１が想定される。この場合、下箱２０の上部として、図１に示すように、例えば、下箱２０の前面上部辺２１が想定される。
【００１９】
なお、上箱１０の下部として、例えば、上箱１０の前面下部辺１２であってもよい。この場合、下箱２０の上部として、例えば、下箱２０の後面上部辺２２が想定される。また、上箱１０の下部として、例えば、上箱１０の左側面下部辺１３であってもよい。この場合、下箱２０の上部として、例えば、下箱２０の右側面上部辺２３が想定される。また、上箱１０の下部として、例えば、上箱１０の右側面下部辺１４であってもよい。この場合、下箱２０の上部として、例えば、下箱２０の左側面上部辺２４が想定される。すなわち、上箱１０の下部と下箱２０の上部とは、それぞれが対向する面における上部辺と下部辺が好ましい。
【００２０】
また、図１に示すように、上箱１０の底面が開放された態様である場合、蓋部３０の短形板３１は、上箱１０の底面としての役割をも担う。また、上箱１０は、蓋部３０との連結部分４２を軸に回動可能な構造になっている。そして、上箱１０を回動させると、上箱１０を下箱２０の上に積み重ねた状態に配置させられる。
【００２１】
したがって、多段箱１００に物を収納する場合、まず、下箱２０に物を収納した後に蓋部３０で下箱２０の上面を閉じる。次に、蓋部３０の上に物を載せた後に、上箱１０を回動させて、蓋部３０の上に載せた物の上から上箱１０を被せるように覆って、図１（ａ）に示すような上箱１０を下箱２０の上に積み重ねた状態にする。最後に、上箱１０と下箱２０との繋ぎ目にシール等を貼って上箱１０が下箱２０から開かないようにする。
【００２２】
または、多段箱１００に物を収納する場合、まず、下箱２０に物を収納した後に蓋部３０で下箱２０の上面を閉じる。次に、上箱１０を回動させて、蓋部３０の上から上箱１０を被せるように覆って、図１（ａ）に示すような上箱１０を下箱２０の上に積み重ねた状態にする。次に、上箱１０の取手付き出し入れ口部１６から上箱１０の上面を開放させた後に上箱１０内に物を入れて、蓋部３０の上に物を載せて上箱１０の上面を閉じる。最後に、上箱１０と下箱２０との繋ぎ目にシール等を貼って上箱１０が下箱２０から開かないようにする。
【００２３】
なお、上箱１０を下箱２０の上に積み重ねた状態にする場合、図１に示すように、上箱１０と下箱２０との繋ぎ目において、上箱１０の下部の帯状部１５は、下箱２０の上部の帯状部２５に覆い被さるようにする構成が一例として想定される。繋ぎ目の隙間をなくすのに好適である。このような構成の場合、蓋部３０を閉じると、蓋部３０の一部を成す折り返し片３２の辺３２ａが下箱２０の後面上部辺２２に当接する。そして、その辺３２ａを軸として折り返し片３２を下側へ折り返して、さらに、折り返し片３２の辺３２ｂを軸として上箱１０を上側へ折り返す。これにより、帯状部１５が帯状部２５に覆い被された態様で、上箱１０を下箱２０の上に積み重ねることができる。なお、上記構成に限るものではなく、帯状部１５が帯状部２５に覆い被さらない構成であってもよい。
【００２４】
以上のような多段箱１００は、下箱２０への収納は開放された開口の広い上面から収納物を入れて収納させることができ、上箱１０への収納は底面としての蓋部３０に収納物を載せた後に上箱を被せて行う（または、取手付き出し入れ口部１６から収納する）というように、複数の収納物を容易に収納できるという効果がある。
【００２５】
図２は、本考案の実施の形態における多段箱１００の展開図を示す図である。本考案の実施の形態における多段箱１００は、１枚の紙製シートから構成させることが一例として想定され、以下において１枚の紙製シートから構成させた多段箱１００について説明するが、これに限るものではなく、その他の構成であってもよい。
【００２６】
多段箱１００は、図２に示すような紙製シート２００を組み立てることにより形成される。その紙製シート２００は、上から順に上箱１０、蓋部３０、下箱２０に相当する部分から構成されている。
【００２７】
上箱１０に相当する部分は、図２の左から順に、左側面板２１１、前面板２１２、右側面板２１３、後面板２１４、糊代片２１５がそれぞれ折り目線２４１、２４２、２４３、２４４を介して連設されている。また、左側面板２１１、前面板２１２、右側面板２１３、後面板２１４の下部には、それぞれ図１において説明した帯状部１５を構成する帯片２１５ａ、２１５ｂ、２１５ｃ、２１５ｄが設けられている。なお、帯片２１５ｃ、２１５ｄの横部分同士は、折り目線２４３において連設されていない。その他の帯片２１５ａ、２１５ｂ、２１５ｃの横部分同士は、折り目線２４１、２４２において連設されていてもいなくてもどちらでもよい。
【００２８】
また、前面板２１２、後面板２１４の上部には、折り目線２４５、２４６を介してそれぞれ図１において説明した取手付き出し入れ口部１６を構成する取手付き出し入れ口片２１６ａ、２１６ｂが設けられている。また、左側面板２１１、右側面板２１３の上部には、折り目線２４７、２４８を介してそれぞれ舌片２１１ａ、２１３ａが設けられている。
【００２９】
上記において左側面板２１１、及び左側面板２１１と連設された舌片２１１ａ及び帯片２１５ａの一群を左側面板部と呼ぶ。左側面板部には、本明細書では説明していないその他の公知の要素も含むものである。上記において前面板２１２、及び前面板２１２と連設された帯片２１５ｂの一群を前面板部と呼ぶ。前面板部には、本明細書では説明していないその他の公知の要素も含むものである。上記において右側面板２１３、及び右側面板２１３と連設された舌片２１３ａ及び帯片２１５ｃの一群を右側面板部と呼ぶ。右側面板部には、本明細書では説明していないその他の公知の要素も含むものである。上記において後面板２１４、及び後面板２１４と連設された糊代片２１５及び帯片２１５ｄの一群を後面板部と呼ぶ。後面板部には、本明細書では説明していないその他の公知の要素も含むものである。上記において取手付き出し入れ口部１６を構成する取手付き出し入れ口片２１６ａ、２１６ｂの一群を上面板部と呼ぶ。上面板部には、本明細書では説明していないその他の公知の要素も含むものである。以下の説明においても可能な限り以上を適用する。
【００３０】
下箱２０に相当する部分は、図２の左から順に、左側面板２２１、前面板２２２、右側面板２２３、後面板２２４、糊代片２２５がそれぞれ折り目線２５１、２５２、２５３、２５４を介して連設されている。また、前面板２２２、後面板２２４の下部には、折り目線２５５、２５６を介してそれぞれ底面板２２６、２２７が設けられている。また、左側面板２２１、右側面板２２３の下部には、折り目線２５７、２５８を介してそれぞれ舌片２２１ａ、２２３ａが設けられている。
【００３１】
上記において底面板２２６、２２７の一群を底面板部と呼ぶ。底面板部には、本明細書では説明していないその他の公知の要素も含むものである。
【００３２】
蓋部３０に相当する部分は、短形板２３１と、舌片２３１ａ、２３１ｂと、折り返し片２３２とから構成されている。そのうち、短形板２３１と、折り返し片２３２とが折り目線２６１を介して連設されている。短形板２３１は、折り目線２６２を介して後面板２２４と連設されている。また、短形板２３１の左右には、折り目線２６３、２６４を介してそれぞれ舌片２３１ａ、２３１ｂが設けられている。また、折り返し片２３２は、折り目線２６５を介して帯片２１５ｄと連設されている。
【００３３】
次に、紙製シート２００による多段箱１００の組み立て方法について説明する。上箱１０に相当する部分から説明する。左側面板２１１、前面板２１２、右側面板２１３、後面板２１４、糊代片２１５により筒状部分ができるように、それぞれ折り目線２４１、２４２、２４３、２４４で概ね９０度折り曲げる。そして、左側面板２１１と糊代片２１５とを接着する。これにより、四方を囲む上箱１０の筒状部分が出来上がる。
【００３４】
次に、舌片２１１ａ、２１３ａをそれぞれ折り目線２４７、２４８で筒状部分の内側へ向かって概ね９０度折り曲げる。そして、取手付き出し入れ口片２１６ａ、２１６ｂをそれぞれ折り目線２４５、２４６で筒状部分の内側へ向かって概ね９０度折り曲げて舌片２１１ａ、２１３ａの上に被せ、上箱１０の上面を閉じる。そして、取手部２１６ｃ、２１６ｄをそれぞれ折り目線２４９ａ、２４９ｂで折り曲げて直立させる。そして、上箱１０の上面を閉じた状態を固定するには、取手付き出し入れ口片２１６ａの差し込み舌片２１６ｅを、取手付き出し入れ口片２１６ｂの切り込み片２１６ｆに差し込む。これにより、上箱１０が完成する。
【００３５】
次に、下箱２０に相当する部分について説明する。左側面板２２１、前面板２２２、右側面板２２３、後面板２２４、糊代片２２５により筒状部分ができるように、それぞれ折り目線２５１、２５２、２５３、２５４で概ね９０度折り曲げる。そして、左側面板２２１と糊代片２２５とを接着する。これにより、四方を囲む下箱２０の筒状部分が出来上がる。そして、舌片２２１ａ、２２３ａを折り目線２５７、２５８で筒状部分の内側へ向かって折り曲げ、底面板２２６、２２７を折り目線２５５、２５６で折り曲げて舌片２２１ａ、２２３ａの上に被せる。このような状態にしたら、底面板２２６、２２７を、例えば、シールやテープ等で固定する。これにより、下箱２０が完成する。
【００３６】
以上のように上箱１０と下箱２０とが組み上がると、図１（ｂ）のような状態になる。次に、蓋部３０に相当する部分について説明する。まず、短形板２３１の左右に設けられた舌片２３１ａ、２３１ｂを折り目線２６３、２６４で（紙面垂直上方へ向かって）概ね９０度折り曲げる。そして、下箱２０の上面２６を閉じる方向へ、連結部分４１を軸として短形板２３１を回動させる。次に、折り目線２６１で下箱２０側に向かって折り返し片２３２を折り曲げる。そして、折り目線２６５で上箱１０を上側へ向かって折り返す。これにより、下箱２０内部を閉じるように、連結部分４２（折り目線２６５）を軸として上箱１０を回動させたことになる。上箱１０を下箱２０に積み重ねさせると、図１（ａ）に示す状態になる。
【００３７】
以上のように、多段箱１００を１枚の紙製シート２００から形成させることができれば、多段箱の組み立てを容易にさせることができるという優れた効果を奏する。
【００３８】
図３は、本考案の実施の形態における多段箱３００の示す図である。多段箱３００は、多段箱１００にさらに一段箱を追加したものである。具体的に言うと、多段箱３００は、上箱１０と下箱２０との間に、中段箱３１０を追加したものである。中段箱３１０以外は、ほぼ多段箱１００と同様の構成であるため、その説明を省略する。なお、図３（ａ）は、多段箱３００の斜視図である。図３（ｂ）は、多段箱３００を開いた斜視図である。図３（ｃ）は、多段箱３００の展開図である。
【００３９】
中段箱３１０は、図３（ａ）、図３（ｂ）に示すように、例えば、直方体状に製箱された箱が想定されるが、これに限るものではなく、その他の形状の箱であってもよい。そして、中段箱３１０は、その上面が開放された態様が想定されるが、底面については閉じた状態でも開放された状態のどちらであってもよい。
【００４０】
中段箱３１０に相当する部分は、図３（ｃ）の展開図に示しているが、上箱１０及び下箱２０と同様に、左側面板３１１、前面板３１２、右側面板３１３、後面板３１４、糊代片３１５がそれぞれの折り目線３２１、３２２、３２３、３２４を介して連設されている。また、左側面板３１１、前面板３１２、右側面板３１３、後面板３１４の下部には、それぞれ図１において説明した帯状部を構成する帯片３１５ａ、３１５ｂ、３１５ｃ、３１５ｄが４つ設けられている。これは、上箱１０における帯片と同様である。
【００４１】
また、中段箱３１０は、上側と下側とに２つの蓋部３０ａ、３０ｂと連結された状態にある。中段箱３１０の上側における上箱１０との関係では、中段箱３１０は、図１に示した下箱２０と同様の役割・機能を発揮している。したがって、この場合、中段箱３１０は、図１の説明においてなされた下箱２０に対しての説明がそのまま適用できる。
【００４２】
また、中段箱３１０の上側における下箱２０との関係では、中段箱３１０は、図１に示した上箱１０と同様の役割・機能を発揮している。したがって、この場合、中段箱３１０は、図１の説明においてなされた上箱１０に対しての説明（ただし、取手付き出し入れ口片２１６ａ、２１６ｂを除く。）がそのまま適用できる。
【００４３】
上記の説明は、多段箱３００を、図３（ｃ）に示すような１枚の紙製シートから構成させることを想定したものである。しかしながら、多段箱３００は、複数枚の紙製シートから構成させたものであってもよい。すなわち、図１及び図２に示した蓋部３０と下箱２０とを一体型にした蓋付き下箱である箱ユニットを、多段箱１００の下箱２０の下側に後から取り付けて多段箱３００を形成させるものであってもよい。この場合、下箱２０の底面に、上記箱ユニットにおける蓋の先端部分を連結可能な連結手段を別途設ければよい。
【００４４】
箱ユニットにおける蓋の先端を下箱２０の底面に連結させる連結手段として、例えば、蓋の先端を下箱２０の底面に糊付け、テープ、シール等で固定して連結させる構成が一例として想定される。また、上記連結手段として、例えば、下箱２０の底面に切り込み片を設け、蓋の先端に差し込み舌片を設け、その切り込み片にその差し込み舌片を差し込んで、箱ユニットにおける蓋の先端を下箱２０の底面に連結させる構成も一例として想定される。しかしながら、上記連結手段は、上記構成に限るものではなく、その他の構成であってもよい。こうすれば、必要に応じて本考案の多段箱を、後から３段以上に積み重ねた箱に拡張することができる。
【００４５】
以上のような構成にすれば、必要に応じて本考案の多段箱を、後から３段以上に積み重ねた箱に拡張することができるという優れた効果を奏する。
【００４６】
なお、本考案の実施の形態は本考案を具現化するための一例を示したものであり、これに限定されるものではなく本考案の要旨を逸脱しない範囲において種々の変形を施すことができる。
【産業上の利用可能性】
【００４７】
本考案の活用例として、例えば、ケーキ等のお菓子やイチゴ入のパック等の多段収納箱として活用例が挙げられる。
【符号の説明】
【００４８】
１０  上箱
１１  後面下部辺
１２  前面下部辺
１３  左側面下部辺
１４  右側面下部辺
１５、２５  帯状部
１６  取手付き出し入れ口部
２０  下箱
２１  前面上部辺
２２  後面上部辺
２３  右側面上部辺
２４  左側面上部辺
３０、３０ａ、３０ｂ  蓋部
３１、２３１  短形板
３１ａ  短形板長手辺
３１ｂ  短形板長手辺
３２、２３２  折り返し片
４１、４２  連結部分
１００、３００  多段箱
２００  紙製シート
２１１、２２１、３１１  左側面板
２１１ａ、２１３ａ、２２１ａ、２２３ａ、２３１ａ、２３１ｂ  舌片
２１２、２２２、３１２  前面板
２１３、２２３、３１３  右側面板
２１４、２２４、３１４  後面板
２１５、２２５、３１５  糊代片
２１５ａ、２１５ｂ、２１５ｃ、２１５ｄ、３１５ａ、３１５ｂ、３１５ｃ、３１５ｄ  帯片
２１６ａ、２１６ｂ  取手付き出し入れ口片
２１６ｃ、２１６ｄ  取手部
２１６ｅ  差し込み舌片
２１６ｆ  切り込み片
２２６、２２７  底面板
２４１、２４２、２４３、２４４、２４５、２４６、２４７、２４８、２４９ａ、２４９ｂ、２５１、２５２、２５３、２５４、２５５、２５６、２５７、２５８、２６１、２６２、２６３、２６４、２６５、３２１，３２２，３２３、３２４  折り目線
３１０  中段箱
【図１】
0003196868.tif 000003
【図２】
0003196868.tif 000004
【図３】
0003196868.tif 000005